(57)【要約】【課題】従来よりも使い勝手のよい収納容器を提供する。【解決手段】前面１００Ｆと背面１００Ｂと底面とを有する収納容器１００が提供される。底面は、収納容器の外面に設けられる第１の底面１００Ｘと、収納容器の内面に設けられる第２の底面１００Ｄ，１００Ｅとを備える。収納容器１００は、第１の底面１００Ｘが載置面となって前面を下方に背面を上方に傾けた前傾状態で収納容器１００を自立可能である。第２の底面１００Ｄ，１００Ｅは、収納容器１００の前面１００Ｆ及び背面１００Ｂを略垂直にした状態で、水平または水平に対して第１の底面１００Ｘとは逆方向の傾斜角を有する。【選択図】図１
2018070258.tif 000002
【特許請求の範囲】
【請求項１】
前面と背面と底面とを有する収納容器であって、
前記底面は、前記収納容器の外面に設けられる第１の底面と、前記収納容器の内面に設けられる第２の底面とを備え、
前記収納容器は、前記第１の底面が載置面となって前記前面を下方に前記背面を上方に傾けた前傾状態で前記収納容器を自立可能であり、
前記第２の底面は、前記収納容器の前面及び背面を略垂直にした状態で、水平または水平に対して前記第１の底面とは逆方向の傾斜角を有する、収納容器。
【請求項２】
前記底面は、前記収納容器の外面に設けられて前記第１の底面とは異なる傾斜角を有する第３の底面を備え、
前記第３の底面は、前記第１の底面よりも前記背面側に設けられるとともに、前記第１の底面よりも面積が小さい、請求項１に記載の収納容器。
【請求項３】
前記第１の底面と前記第３の底面とが略直角に形成されている、請求項２に記載の収納容器。
【請求項４】
上部に前記収納容器を持ち上げるための少なくとも１つの把持部をさらに備える、請求項１から３のいずれか１項に記載の収納容器。
【請求項５】
前記少なくとも１つの把持部は、前記収納容器の第１の側面の上部の外側に取り付けられて端部へ向けて反り上がっている第１の把持部と、前記収納容器の第２の側面の上部の外側に取り付けられて端部へ向けて反り上がっている第２の把持部を含む、請求項４に記載の収納容器。
【請求項６】
前記収納容器の内部を前部スペースと後部スペースとに仕切るための仕切り板をさらに備え、
前記前部スペースの前後方向の幅よりも、前記後部スペースの前後方向の幅の方が広い、請求項１〜５のいずれか１項に記載の記載の収納容器。
【発明の詳細な説明】
【技術分野】
【０００１】
本発明は、ビンやチューブなどの物品を収納する収納容器に関する。
【背景技術】
【０００２】
従来から、一味や七味やコショウなどのビンやワサビやショウガなどのチューブなどを収納することができる収納容器が知られている。
【０００３】
また、特開平８−１７０８７３号公報（特許文献１）には、冷蔵庫用食品収納容器及び冷蔵庫が開示されている。より詳細には、平面形状をほぼ矩形状とし、容器の高さが前記矩形状を構成する横幅より大きく、冷蔵庫の庫内室で並設設置が可能な大きさを有する縦長の形態で、上部に食品を出し入れする投入口、容器下部に少なくとも冷気通風口を備えた冷蔵庫用食品収納容器を冷蔵庫に備えるものである。
【０００４】
また、特開２０１２−２６６３９号公報（特許文献２）には、冷蔵庫が開示されている。より詳細には、冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えた冷蔵庫において、前記チューブ収納手段は長辺及び短辺に第一の係止部及び第二の係止部をそれぞれ備え、前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられたことを特徴とするものである。
【０００５】
また、特開２０１０−４８４３５号公報（特許文献３）には、冷蔵庫が開示されている。より詳細には、上方が出し入れ口となる前後・左右が平らな周壁面と底面とで形成された小物ケースを、少なくとも開閉扉の内側に設けられたドアポケットのポケット内壁と、あるいはドアポケット内が内と外に仕切られた奥側ポケット及び手前側ポケットのポケット内壁とそれぞれ近接又は接触し合う状態で配置セットされるセット可能な大きさに作る。
【先行技術文献】
【特許文献】
【０００６】
【特許文献１】特開平８−１７０８７３号公報
【特許文献２】特開２０１２−２６６３９号公報
【特許文献３】特開２０１０−４８４３５号公報
【発明の概要】
【発明が解決しようとする課題】
【０００７】
調味料のチューブやビンなどを持ち運んだり、テーブルやキッチンに載置したり、冷蔵庫の棚やポケットに収容したりできる収納容器が求められている。そこで、本発明は、従来よりも使い勝手のよい収納容器を提供することを目的とする。
【課題を解決するための手段】
【０００８】
この発明のある態様に従うと、前面と背面と底面とを有する収納容器が提供される。底面は、収納容器の外面に設けられる第１の底面と、収納容器の内面に設けられる第２の底面とを備える。収納容器は、第１の底面が載置面となって前面を下方に背面を上方に傾けた前傾状態で収納容器を自立可能である。第２の底面は、収納容器の前面及び背面を略垂直にした状態で、水平または水平に対して第１の底面とは逆方向の傾斜角を有する。
【０００９】
好ましくは、底面は、収納容器の外面に設けられて第１の底面とは異なる傾斜角を有する第３の底面を備える。第３の底面は、第１の底面よりも背面側に設けられるとともに、第１の底面よりも面積が小さい。
【００１０】
あるいは、前面と背面と底面とを有する収納容器が提供される。底面は、前面を下方に背面を上方に傾けた前傾状態で収納容器を自立させるための第１の底面と、第１の底面とは異なる角度を有する第３の底面とを有する。
【００１１】
好ましくは、第１の底面は、前面または背面と直角な面から前面へ向けて傾いている。第３の底面は、前面または背面と直角な面から背面へ向けて傾いている。
【００１２】
あるいは、前面と背面と底面とを有する収納容器が提供される。底面が、前面または背面と直角な面から前面へ向けて傾いている。
【００１３】
あるいは、収納容器は、前面または背面が垂直方向と平行な状態で自立しないように構成される。
【００１４】
あるいは、収納容器の底面が収納容器の開口面と平行でないように構成されている。
【００１５】
好ましくは、収納容器は、底面が載置面となって自立する。
【００１６】
あるいは、収納容器は、その開口部が上方から傾いた状態で自立するように構成される。
【００１７】
好ましくは、底面は、前面または背面と直角な面から前面へ向けて傾いている第１の底面と前面または背面と直角な面から背面へ向けて傾いている第３の底面とを含む。収納容器は、第１の底面が載置面となって自立する。
【００１８】
好ましくは、第１の底面と第３の底面とが略直角に形成されている。
【００１９】
好ましくは、収納容器は、上部に収納容器を持ち上げるための少なくとも１つの把持部をさらに備える。
【００２０】
好ましくは、少なくとも１つの把持部は、収納容器の第１の側面の上部の外側に取り付けられて端部へ向けて反り上がっている第１の把持部と、収納容器の第２の側面の上部の外側に取り付けられて端部へ向けて反り上がっている第２の把持部を含む。
【００２１】
好ましくは、収納容器は、収納容器の内部を前部スペースと後部スペースとに仕切るための仕切り板をさらに備える。前部スペースの前後方向の幅よりも、後部スペースの前後方向の幅の方が広い。
【発明の効果】
【００２２】
このように、本発明によれば、従来よりも使い勝手のよい収納容器が提供されるようになる。
【図面の簡単な説明】
【００２３】
【図１】第１の実施の形態にかかる収納容器１００に一味のビン２１やコショウのビン２２やワサビのチューブ２３やショウガのチューブ２４などが入れられている状態のイメージ図である。
【図２】第１の実施の形態にかかる収納容器１００の空の状態の右斜視図である。
【図３】第１の実施の形態にかかる収納容器１００の空の状態の左斜視図である。
【図４】第１の実施の形態にかかる収納容器１００の右側面断面図である。
【図５】第１の実施の形態にかかる収納容器１００を他の装置に立てかけた状態の右側面断面図である。
【図６】第１の実施の形態にかかる第１の底面１００Ｘが水平な状態の収納容器１００の右側面断面図である。
【図７】第１の実施の形態にかかる収納容器１００の第１の使用例を示すイメージ図である。
【図８】第１の実施の形態にかかる冷蔵庫１の扉１１を閉めた状態の正面図である。
【図９】第１の実施の形態にかかる冷蔵庫１の扉１１の内側の上段のポケット１１１に収納容器１００を載置した状態の扉１１の内側図である。
【図１０】第１の実施の形態にかかる冷蔵庫１の扉１１の内側の上段のポケット１１１に収納容器１００を載置した状態の扉１１の斜視図である。
【図１１】第１の実施の形態にかかる冷蔵庫１の扉１１の内側の中段のポケット１１２に収納容器１００を載置した状態の扉１１の内側図である。
【図１２】第１の実施の形態にかかる冷蔵庫１の扉１１の内側の中段のポケット１１２に収納容器１００を載置した状態の扉１１の斜視図である。
【図１３】第１の実施の形態にかかる冷蔵庫１の扉１１の内側の下段のポケット１１３に収納容器１００を載置した状態の扉１１の内側図である。
【図１４】第１の実施の形態にかかる冷蔵庫１の扉１１の内側の下段のポケット１１３に収納容器１００を載置した状態の扉１１の斜視図である。
【図１５】第１の実施の形態にかかる冷蔵庫１の棚１２に第１の方向で収納容器１００を載置した状態の冷蔵庫１の正面図である。
【図１６】第１の実施の形態にかかる冷蔵庫１の棚１２に第１の方向で収納容器１００を載置した状態の冷蔵庫１の斜視図である。
【図１７】第１の実施の形態にかかる冷蔵庫１の棚１２に第２の方向で収納容器１００を載置した状態の冷蔵庫１の正面図である。
【図１８】第１の実施の形態にかかる冷蔵庫１の棚１２に第２の方向で収納容器１００を載置した状態の冷蔵庫１の斜視図である。
【図１９】第２の実施の形態にかかる冷蔵庫１の扉１１の内側の下段のポケット１１３に収納容器１００を載置した状態の扉１１の斜視図である。
【図２０】第３の実施の形態にかかる収納容器１００の右側面断面図である。
【図２１】第４の実施の形態にかかる収納容器１００の右側面断面図である。
【図２２】第５の実施の形態にかかる第１の収納容器１００の右側面断面図である。
【図２３】第５の実施の形態にかかる第２の収納容器１００の右側面断面図である。
【発明を実施するための形態】
【００２４】
以下、図面を参照しつつ、本発明の各実施形態について説明する。以下の説明では、同一の部品には同一の符号を付してある。それらの名称および機能も同じである。したがって、それらについての詳細な説明は繰り返さない。
［第１の実施の形態］
【００２５】
まず、本実施の形態にかかる収納容器１００の全体構成について説明する。なお、図１は、本実施の形態にかかる収納容器１００に一味のビン２１やコショウのビン２２やワサビのチューブ２３やショウガのチューブ２４などが入れられている状態のイメージ図である。図２は、本実施の形態にかかる収納容器１００の空の状態の右斜視図である。図３は、本実施の形態にかかる収納容器１００の空の状態の左斜視図である。図４は、本実施の形態にかかる収納容器１００の右側面断面図である。
【００２６】
図１〜図４を参照して、本実施の形態にかかる収納容器１００は、主に、前面１００Ｆと、背面１００Ｂと、右側面１００Ｒと、左側面１００Ｌと、底面１００Ｘ，１００Ｙと、仕切り板１００Ａと、底面１００Ｄとから構成される。なお、本実施の形態においては、底面１００Ｘ，１００Ｙは、収納容器１００の外面の前部側に形成される第１の底面１００Ｘと、収納容器１００の外面の後部側に形成される第３の底面１００Ｙとを含み、底面１００Ｄは、収納容器１００の内面に形成される第２の底面１００Ｄを含む。そして、第１の底面１００Ｘと第３の底面１００Ｙとは直角に形成されている。
【００２７】
第１の底面１００Ｘは、開口面と平行な面から、その前部を軸に、その後部が下方に回動した姿勢に形成されている。第３の底面１００Ｙは、開口面と平行な面から、その後部を軸に、その前部が下方に回動した姿勢に形成されている。換言すれば、第１の底面１００Ｘと第３の底面１００Ｙの少なくともいずれかは、収納容器１００の開口面と平行でないよう形成されている。換言すれば、収納容器１００は、その前面１００Ｆや背面１００Ｂが垂直な状態のままでは、自立しないように構成されている。
【００２８】
そして、第１の底面１００Ｘの方が、第３の底面１００Ｙよりも広い。より詳細には、第１の底面１００Ｘを水平な載置面として収納容器１００が自立できる程度に、第１の底面１００Ｘが広く構成されている。なお、収納容器１００にビンやチューブが差し込まれている場合に、第１の底面１００Ｘを水平な載置面として収納容器１００が自立するように構成されることが好ましい。
【００２９】
本実施の形態においては、第１の底面が、載置面となって、前面１００Ｆを下方に、背面１００Ｂを上方に傾けた前傾状態で収納容器１００を自立させるものである。そして、収納容器１００は、前傾状態で自立するように第１の底面１００Ｘが形成されているため、前面１００Ｆや背面１００Ｂが略垂直となるようにしても、自然に前傾して前面１００Ｆが壁などに支えられて立った状態となる。したがって、自立した状態であっても、壁などに支えられて立った状態であっても、前傾状態となり開口面がユーザ側に向くため、ユーザの使い勝手がよい。そして、２０度以上前傾した状態で自立できれば、さらに使い勝手よいし、４０度以上前傾した状態で自立できれば、さらに使い勝手がよい。より詳細には、収納容器１００を載置する台や収納容器１００を収納する装置のサイズや仕様、収納容器１００が収納する瓶やチューブなどに応じて、底面１００Ｘ，１００Ｙの傾きや形状などを定めることが好ましい。
【００３０】
収納容器１００の内側には、収納容器１００の内側の前部と後部とを仕切るための仕切り板１００Ａが形成されている。仕切り板１００Ａは、その右端部が収納容器１００の右側面１００Ｒに一体的に連結され、その左端部が収納容器１００の左側面１００Ｌに一体的に連結され、その下端部が収納容器１００の第１の底面１００Ｘに一体的に連結される。
【００３１】
本実施の形態においては、仕切り板１００Ａから前面１００Ｆまでの距離Ｃの方が、仕切り板１００Ａから背面１００Ｂまでの距離Ｄよりも短い。すなわち、収納容器１００は、前部の空間の方が狭く、後部の空間の方が広い。なお、本実施の形態においては、前部の奥行きの方が短く、後部の奥行きの方が長く構成されている。より詳細には、前部の空間に一味や七味のビンが配置され易いように、後部の空間にワサビやショウガのチューブが配置され易いように、収納容器１００の大きさや仕切り板１００Ａの位置が構成されていることが好ましい。
【００３２】
そして、収納容器１００の内側の前部のスペースの底面１００Ｄは、前面１００Ｆや背面１００Ｂに対して略直角に構成されている。これによって、収納容器１００の前面１００Ｆが壁などに支えられて立った状態のときに底面１００Ｄが概ね水平となるため、ビンなどの底面が安定して収納容器１００の前部の底面１００Ｄによって支持される。一方、収納容器１００の内側の後部は、チューブの蓋側から挿入してもよいし、蓋の逆側から挿入してもよいように、その底面１００Ｄは、前面１００Ｆや背面１００Ｂに対して直角に構成されていなくてもよい。
【００３３】
なお、前部のスペースの底面１００Ｄを前面１００Ｆや背面１００Ｂに対して直角に構成するため、前部のスペースの前後方向の幅を後部のスペースの前後方向の幅よりも短くした方が、前部と後部のスペースの総容積をより大きくできる。
【００３４】
そして、前面１００Ｆの背面、すなわち収納容器１００の内側、には、複数のリブ１００Ｓ，１００Ｓが配置されている。これによって、一味や七味のビンが転がる恐れを低減することができる。本実施の形態においては、複数のリブ１００Ｓ，１００Ｓの間隔が１７．５ｍｍとなっている。
【００３５】
収納容器１００は、持ち運びをし易いように、左側面１００Ｌの上部に左把持部１０１Ｌが形成されている。同様に、右側面１００Ｒの上部に右把持部１０１Ｒが形成されている。把持部１０１Ｌ，１０１Ｒは、端部に向けて、上方に反り返るように形成されている。そして、側面視において、把持部１０１Ｌ，１０１Ｒは、収納容器１００の開口部に合わせて、その中央部が上方に凸となるように形成されている。
【００３６】
そして、図５に示すように、収納容器１００は、他の装置の棚やポケットや支持部材に支持されることによって、自立状態よりも起きた状態で使用することもできる。図５では、収納容器１００を、仕切り１１４によって区画されたスペース内に配置した状態を示している。本実施形態では、第１の底面１００Ｘの方が、第３の底面１００Ｙよりも広く形成されており、第１の底面１００Ｘが収納容器１００の底部において、前端から前後方向の中心よりも後部に亘って形成されている。これにより、上記スペース内に配置された際に底面１００Ｘが浮いて自立できない状態の収納容器１００は、自然に前傾することになり、収納容器１００の前面１００Ｆが仕切り１１４に当接して支持されて立つことになる。したがって、収納容器１００の開口面が前面側に向くことになりユーザの使用勝手がよい。
【００３７】
このとき、収納容器１００の前部の収納領域内に設けた底面１００Ｄは略水平状態となっている。したがって、収納物の重さが底面１００Ｄに概ね均等にかかり、収納物の変形や偏りなどを防止できる。また、後部の収納領域内の底面は、第１の底面１００Ｘと第３の底面１００Ｙとで形成されている。この場合も、図５において後部の収納領域内での第１の底面１００Ｘの上端と第３の底面１００Ｙの上端との両側で収納物の底部を支持できるため、収納物の変形や偏りなどを防止できる。なお、後述するように、後部の収納領域内の底面も底面１００Ｄと同様に形成してもよい。当該底面１００Ｄは、前面１００Ｆとはさらに反対側まで傾斜するものであってもよい。
【００３８】
また、図６に示すように、収納容器１００は、第１の底面１００Ｘを水平な載置面として自立される場合もある。換言すれば、本実施の形態にかかる収納容器１００は、第１の底面１００Ｘを水平な載置面として自立できるように、第１の底面１００Ｘを水平な載置面とした状態で、収納容器１００の重心が第１の底面１００Ｘの上方に位置するように、すなわち平面視において収納容器１００の重心が第１の底面１００Ｘと重なるように構成される。なおチューブやビンが挿入された状態の収納容器１００の重心が第１の底面１００Ｘの上方に位置するように構成されることが好ましい。
＜収納容器１００の第１の使用例＞
【００３９】
図７に示すように、このような収納容器１００を、ユーザは、ビンやチューブを収容したままでテーブルの上に載置することができる。収納容器１００は第１の底面１００Ｘを載置面としてテーブル上に配置される。たとえば、ユーザの家族は、食事中に収納容器１００ごとテーブルに載置しておけば、キッチンや冷蔵庫まで調味料を取りに行く手間が省ける。そして、上述したように、本実施の形態にかかる収納容器１００は、第１の底面１００Ｘを水平な載置面として自立する。収納容器１００の開口部は斜め上方に向いているため、ユーザがワサビやショウガのチューブや一味や七味やコショウのビンなどを取り出しやすい。
＜収納容器１００の第２の使用例＞
【００４０】
図８〜図１８に示すように、このような収納容器１００を、ユーザは、各種装置内や棚などに載置することもできる。たとえば、ユーザは、図８に示すような冷蔵庫１に収納容器１００を載置することができる。
【００４１】
より詳細には、図９および図１０に示すように、ユーザは、収納容器１００を扉１１の庫内側の面の一番上のポケット１１１に載置することができる。本実施の形態においては、扉１１の庫内側の面の一番上のポケット１１１の幅が、収納容器１００の第１の底面１００Ｘの幅Ｂよりも広い。より詳細には、ポケット１１１の幅が、収納容器１００を第１の底面１００Ｘを載置面にしたときの収納容器１００の前後幅、すなわち図４の寸法Ｅ、よりも広い。そのため、図６に示す状態で、収納容器１００がポケット１１１に保持される。
【００４２】
また、図１１および図１２に示すように、ユーザは、収納容器１００を扉１１の庫内側の面の中断のポケット１１２に載置することができる。本実施の形態においては、扉１１の庫内側の面の中断のポケット１１２の幅が、収納容器１００の第１の底面１００Ｘの幅Ｂよりも広い。より詳細には、ポケット１１２の幅が、収納容器１００を第１の底面１００Ｘを載置面にしたときの収納容器１００の前後幅、すなわち図４の寸法Ｅ、よりも広い。そのため、図６に示す状態で、収納容器１００がポケット１１２に保持される。
【００４３】
より詳細には、本実施の形態においては、第１の底面１００Ｘと第３の底面１００Ｙとが略直角となるように構成されているため、収納容器１００を第１の底面１００Ｘを載置面にしたときの収納容器１００の前後幅、すなわち図４の寸法Ｅを効率的に短くすることができる。
【００４４】
また、図１３および図１４に示すように、ユーザは、収納容器１００を扉１１の庫内側の面の一番下のポケット１１３に載置することができる。本実施の形態においては、扉１１の庫内側の面の一番下のポケット１１３は、仕切り１１４によって、手前のスペースと奥のスペースとに分けられている。そして、奥のスペースの幅は、たとえば２リットルのペットボトル３００Ａやパックなどの幅広の方の幅に合わせられている。本実施の形態においては、奥のスペースの幅が、収納容器１００を第１の底面１００Ｘを載置面にしたときの収納容器１００の前後幅、すなわち図４の寸法Ｅよりも狭く、収納容器１００の前面１００Ｆと背面１００Ｂとの距離Ａよりも広い。そのため、図５に示す状態で、収納容器１００がポケット１１３の奥のスペースに立てかけた状態で収容される。
【００４５】
このとき、上述のように第１の底面１００Ｘの方が第３の底面１００Ｙよりも広く形成されているため、ポケット１１３の奥のスペースに立てかけた収納容器１００は、前面１００Ｆが下となる方向に自然に傾く。したがって、収納容器１００の前面１００Ｆと背面１００Ｂとの距離Ａに比べてポケット１１３の奥のスペースの幅が大きい場合であっても、収納容器１００は前面１００Ｆ側に確実に前傾し、前面１００Ｆがポケット１１３の奥のスペースの前壁に当接して支持されるため、扉１１の開閉などによってポケット１１３の奥のスペース内の収納容器１００が前後方向に無用に移動することを抑制でき、収納容器１００の移動による不快音や収納物の飛び出しなどを防止できる。また、収納容器１００が前面１００Ｆ側に前傾するため、収納容器１００の開口部も前方に向けて開口することになり、上述した他の使用例と同様に、開口部をユーザ側に向けた状態とすることができるため、利便性が向上する。
【００４６】
本実施の形態においては、ポケット１１３の奥のスペースが２リットルのペットボトルを収納できるサイズとしている場合、奥のスペースの幅は、代表的な２リットルのペットボトルの前後／左右寸法である８７ｍｍ／１０７ｍｍを収納できるサイズとしているため、たとえば、距離Ａが、９０ｍｍ〜１２０ｍｍとなるように収納容器１００が形成されることが好ましい。さらに好ましくは、距離Ａが、１１０ｍｍ〜１１５ｍｍとなるように収納容器１００が形成される。
【００４７】
また、図１５〜図１８に示すように、ユーザは、収納容器１００を冷蔵庫１の庫内１３の棚１２に載置することもできる。そして、上述したように、本実施の形態にかかる収納容器１００は、第１の底面１００Ｘを水平な載置面として自立できるため、ユーザが一味のビン２１やコショウのビン２２やワサビのチューブ２３やショウガのチューブ２４などを取り出しやすい。
【００４８】
このように、ユーザは、チューブやビンなどを入れたままで、収納容器１００をテーブルに置いたり、収納容器１００を冷蔵庫１の扉の裏のポケット１１１，１１２，１１３に入れたり、収納容器１００を冷蔵庫１の棚１２に置いたりすることができる。その結果、チューブやビンなどをバラバラに運ぶ必要がなくなる。
［第２の実施の形態］
【００４９】
第１の実施の形態においては、図１３や図１４に示すように、冷蔵庫１の扉１１の裏のポケット１１３の奥側のスペースの幅が、２リットルのペットボトルの幅広の辺に合わせられていた。しかしながら、冷蔵庫１の扉１１の庫内側の面の一番下のポケット１１３の奥側のスペースの幅が、１リットル用の牛乳パック３００Ｂの幅に合わせられている場合も多い。
【００５０】
そこで、本実施の形態にかかる収納容器１００は、図１９に示すように、収納容器１００の前面１００Ｆと背面１００Ｂとの距離Ａが１リットル用の牛乳パック３００Ｂの幅に合わせて構成される。たとえば、距離Ａが、６５ｍｍ〜８０ｍｍとなるように収納容器１００が形成されることが好ましい。さらに好ましくは、距離Ａが、７０ｍｍ〜７５ｍｍとなるように収納容器１００が形成される。
［第３の実施の形態］
【００５１】
第１および第２の実施の形態においては、図４や図６などに示すように、収納容器１００の底面が第１の底面１００Ｘと第３の底面１００Ｙとを有するものであった。しかしながら、本実施の形態においては、図２０に示すように、第１の底面１００Ｘが背面１００Ｂの下端まで延設されるものである。
［第４の実施の形態］
【００５２】
第１および第２の実施の形態においては、図４や図６などに示すように、収納容器１００の底面が平面の第１の底面１００Ｘと、平面の第３の底面１００Ｙとを有するものであった。しかしながら、本実施の形態においては、図２１に示すように、第３の底面１００Ｙが円弧を形成するものである。
［第５の実施の形態］
【００５３】
第１および第２の実施の形態においては、図４や図６などに示すように、収納容器１００の内側の前部のスペースの底面１００Ｄが前面１００Ｆや背面１００Ｂに対して直角に構成されていた。しかしながら、本実施の形態においては、図２２に示すように、収納容器１００の内側の前部のスペースの底面も、後部のスペースの底面と同じように、第１の底面１００Ｘや第３の底面１００Ｙの裏側によって形成される。
【００５４】
あるいは、図２３に示すように、収納容器１００の内側の後部のスペース、すなわち前後方向に広い方のスペースにも、前部のスペースと同じように、底面１００Ｅが前面１００Ｆや背面１００Ｂに対して直角に構成されてもよい。当該底面１００Ｅは、前面１００Ｆとはさらに反対側まで傾斜するものであってもよい。
＜まとめ＞
【００５５】
上述の第１から第５の実施形態では、前面１００Ｆと背面１００Ｂと底面とを有する収納容器１００が提供される。底面は、収納容器の外面に設けられる第１の底面１００Ｘと、収納容器の内面に設けられる第２の底面１００Ｄ，１００Ｅとを備える。収納容器１００は、第１の底面１００Ｘが載置面となって前面を下方に背面を上方に傾けた前傾状態で収納容器１００を自立可能である。第２の底面１００Ｄ，１００Ｅは、収納容器１００の前面１００Ｆ及び背面１００Ｂを略垂直にした状態で、水平または水平に対して第１の底面１００Ｘとは逆方向の傾斜角を有する。
【００５６】
好ましくは、底面は、収納容器１００の外面に設けられて第１の底面１００Ｘとは異なる傾斜角を有する第３の底面１００Ｙを備える。第３の底面１００Ｙは、第１の底面１００Ｘよりも背面側に設けられるとともに、第１の底面１００Ｘよりも面積が小さい。
【００５７】
あるいは、前面１００Ｆと背面１００Ｂと底面１００Ｘ，１００Ｙとを有する収納容器１００が提供される。底面は、前面１００Ｆを下方に背面１００Ｂを上方に傾けた前傾状態で収納容器１００を自立させるための第１の底面１００Ｘと、第１の底面１００Ｘとは異なる角度を有する第３の底面１００Ｙとを有する。
【００５８】
好ましくは、第１の底面１００Ｘは、前面１００Ｆまたは背面１００Ｂと直角な面から前面１００Ｆへ向けて傾いている。第３の底面１００Ｙは、前面１００Ｆまたは背面１００Ｂと直角な面から背面１００Ｂへ向けて傾いている。
【００５９】
あるいは、前面１００Ｆと背面１００Ｂと底面１００Ｘ，１００Ｙとを有する収納容器１００が提供される。底面１００Ｘ，１００Ｙが、前面１００Ｆまたは背面１００Ｂと直角な面から前面へ向けて傾いている。
【００６０】
あるいは、収納容器１００は、前面１００Ｆまたは背面１００Ｂが垂直方向と平行な状態で自立しないように構成される。
【００６１】
あるいは、収納容器１００の底面１００Ｘ，１００Ｙが収納容器１００の開口面と平行でないように構成されている。
【００６２】
好ましくは、収納容器１００は、底面１００Ｘ，１００Ｙが載置面となって自立する。
【００６３】
あるいは、収納容器１００は、その開口部が上方から傾いた状態で自立するように構成される。
【００６４】
好ましくは、底面１００Ｘ，１００Ｙは、前面１００Ｆまたは背面１００Ｂと直角な面から前面へ向けて傾いている第１の底面１００Ｘと前面１００Ｆまたは背面１００Ｂと直角な面から背面１００Ｂへ向けて傾いている第３の底面１００Ｙとを含む。収納容器１００は、第１の底面１００Ｘが載置面となって自立する。
【００６５】
好ましくは、第１の底面１００Ｘと第３の底面１００Ｙとが略直角に形成されている。
【００６６】
好ましくは、収納容器１００は、上部に収納容器１００を持ち上げるための少なくとも１つの把持部１０１Ｌ，１０１Ｒをさらに備える。
【００６７】
好ましくは、少なくとも１つの把持部１０１Ｌ，１０１Ｒは、収納容器１００の第１の側面１００Ｌの上部の外側に取り付けられて端部へ向けて反り上がっている第１の把持部１０１Ｌと、収納容器１００の第２の側面１００Ｒの上部の外側に取り付けられて端部へ向けて反り上がっている第２の把持部１０１Ｒを含む。
【００６８】
好ましくは、収納容器１００は、収納容器１００の内部を前部スペースと後部スペースとに仕切るための仕切り板１００Ａをさらに備える。前部スペースの前後方向の幅よりも、後部スペースの前後方向の幅の方が広い。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００７０】
１        ：冷蔵庫
１１      ：扉
１２      ：棚
１３      ：庫内
２１      ：ビン
２２      ：ビン
２３      ：チューブ
２４      ：チューブ
１００    ：収納容器
１００Ａ  ：仕切り板
１００Ｂ  ：背面
１００Ｄ  ：第２の底面
１００Ｅ  ：第２の底面
１００Ｆ  ：前面
１００Ｌ  ：左側面
１００Ｒ  ：右側面
１００Ｓ  ：リブ
１００Ｘ  ：第１の底面
１００Ｙ  ：第３の底面
１０１Ｌ  ：左把持部
１０１Ｒ  ：右把持部
１１１    ：棚
１１２    ：棚
１１３    ：棚
１１４    ：仕切り
【図１】
2018070258.tif 000003
【図２】
2018070258.tif 000004
【図３】
2018070258.tif 000005
【図４】
2018070258.tif 000006
【図５】
2018070258.tif 000007
【図６】
2018070258.tif 000008
【図７】
2018070258.tif 000009
【図８】
2018070258.tif 000010
【図９】
2018070258.tif 000011
【図１０】
2018070258.tif 000012
【図１１】
2018070258.tif 000013
【図１２】
2018070258.tif 000014
【図１３】
2018070258.tif 000015
【図１４】
2018070258.tif 000016
【図１５】
2018070258.tif 000017
【図１６】
2018070258.tif 000018
【図１７】
2018070258.tif 000019
【図１８】
2018070258.tif 000020
【図１９】
2018070258.tif 000021
【図２０】
2018070258.tif 000022
【図２１】
2018070258.tif 000023
【図２２】
2018070258.tif 000024
【図２３】
2018070258.tif 000025